(57)【要約】  入出金装置１及び補充回収装置１００の両方に着脱可能なスタッカ９は、２枚のテープ９６、９８に紙幣を挟持した状態で、ドラム８８に巻き付け、または巻き戻すことにより紙幣を収納及び繰り出す。スタッカは、サイズの異なる紙幣のスタッカとして共用でき、内部に収納している紙幣の金種、枚数等の収納情報がメモリ１１に記憶されている。スタッカ９は、まず、補充回収装置１００で紙幣を補充され、収納された紙幣の収納情報がメモリ１１に記憶される。補充回収装置１００から取り外された後に、スタッカ９は入出金装置１に装着されて、入出金処理が行われる。メモリ１１は、入出金の処理ごとに更新される。入出金処理が終了し、スタッカ９が入出金装置１から取り外されると、再び補充回収装置１００に装着されて内部の紙幣を回収される。これにより、全金種でスタッカ９を共用できるとともに、入出金装置の紙幣の補充、回収を短時間で行える。
2012090301.tif 000002
【特許請求の範囲】
【請求項１】
紙幣の入金および出金を行う入出金装置であって、
一以上の金種の紙幣を収納可能で、収納している紙幣の金種を含む収納情報を有する第1の記憶部を有し、紙幣を収納及び排出する着脱可能な紙幣収納部と、
前記紙幣収納部を装着する装着部と、
前記装着部に前記紙幣収納部が装着されているか否かを検知する検知部と、
前記検知部が前記紙幣収納部の装着を検出すると、前記第１の記憶部より、前記紙幣の金種を読み出す読出部と、
前記装着部と、前記装着部に装着される前記紙幣収納部に収納させる前記紙幣の金種とを関連付けて記憶させておく第２の記憶部と、
前記読出部が読み出した前記紙幣の金種が、前記第２の記憶部に前記紙幣収納部の装着が検知された前記装着部と関連付けて記憶されている金種と適合するものであるか否かを判別する収納部判別部と、
前記収納判別部が適合すると判別すると、前記紙幣の入金または出金の指示の受付を開始する指示受付部と、
前記指示に基づき前記紙幣を搬送する搬送部と、
を有することを特徴とする入出金装置。
【請求項２】
前記収納情報は、前記紙幣の枚数を示す情報を含み、
前記入金または出金の指示に応じて入金または出金された前記紙幣の金種及び枚数を鑑別し、鑑別結果を前記第２の記憶部に記憶させる紙幣鑑別部と、
前記指示受付部が受付けた指示に応じた一回の前記入金または前記出金の動作完了毎に、前記鑑別結果に基づき、前記第１の記憶部が有している収納情報の前記枚数を示す情報を更新する更新部と、
をさらに有することを特徴とする請求項１に記載の入出金装置。
【請求項３】
前記紙幣収納部は、２枚の帯状部材の間に紙幣を挟持して正逆回転可能な回転体に巻きつけることにより前記紙幣を収納及び排出可能に構成されることを特徴とする請求項１または請求項２に記載の入出金装置。
【請求項４】
紙幣の入金および出金を行う入出金装置であって、
一以上の金種の紙幣を収納可能で、収納している紙幣の金種を含む収納情報を有する第1の記憶部を有し、紙幣を収納及び排出する着脱可能な紙幣収納部と、
前記紙幣収納部を装着する装着部と、
前記装着部に前記紙幣収納部が装着されているか否かを検知する検知部と、
前記検知部が前記紙幣収納部の装着を検出すると、前記第１の記憶部より、前記金種を読み出す読出部と、
前記読出部が読み出した前記金種を、前記装着部と関連付けて記憶させる第２の記憶部と、  
前記第２の記憶部に前記金種と前記装着部とが関連付けて記憶されると、前記紙幣の入金または出金の指示の受付を開始する指示受付部と、
前記第２の記憶部の記憶内容と、前記指示に基づき前記紙幣の搬送を行う搬送部と、
を有することを特徴とする入出金装置。
【請求項５】
前記収納情報は前記紙幣の枚数を含み、
前記入金または出金の指示に応じて入金または出金された前記紙幣の金種及び枚数を鑑別し、鑑別結果を前記第２の記憶部に記憶させる紙幣鑑別部と、
前記指示入力部が受付けた指示に応じた一回の前記入金または前記出金の動作完了毎に、前記鑑別結果に基づき、前記第１の記憶部が有している収納情報の前記枚数を示す情報を更新する更新部と、
をさらに有することを特徴とする請求項４に記載の入出金装置。
【請求項６】
前記紙幣収納部は、２枚の帯状部材の間に紙幣を挟持して正逆回転可能な回転体に巻きつけることにより前記紙幣を収納及び排出可能に構成されることを特徴とする請求項１２または請求項４または請求項５に記載の入出金装置。
【請求項７】
一以上の金種の紙幣を収納可能で、収納している紙幣の金種及び枚数を含む収納情報を有する第1の記憶部を有し、紙幣を収納及び排出する着脱可能な紙幣収納部と、
前記紙幣収納部を装着する装着部と、
前記装着部に前記紙幣収納部が装着されているか否かを検知する検知部と、
前記検知部が前記紙幣収納部の装着を検出すると、前記紙幣収納部に補充する金種と枚数を含む補充指示を取得する補充指示取得部と、
前記補充指示に基づき前記紙幣収納部に紙幣を補充する補充部と、
前記補充指示に応じて補充された前記紙幣の金種及び枚数を判別する紙幣鑑別部と、
前記紙幣鑑別部において判別された前記紙幣の金種及び枚数に基づき、前記第１の記憶部に前記収納情報を記録する記録部と、
を有することを特徴とする紙幣補充回収装置。
【請求項８】
前記検知部が前記紙幣収納部の装着を検出すると、前記紙幣収納部から紙幣を回収する回収部と、
をさらに有することを特徴とする請求項７に記載の紙幣補充回収装置。
【請求項９】
前記紙幣収納部は、２枚の帯状部材の間に紙幣を挟持して正逆回転可能な回転体に巻きつけることにより前記紙幣を収納及び排出可能に構成されることを特徴とする請求項７または請求項８に記載の紙幣補充回収装置。
【請求項１０】
紙幣の入金および出金を行う入出金装置の運用方法であって、
一以上の金種の紙幣を収納可能で、収納している紙幣の金種を含む収納情報を有する第1の記憶部を有し、前記入出金装置が備えている装着部に着脱可能で紙幣を収納及び排出する紙幣収納部が、前記装着部に装着されているか否かを前記入出金装置が備えている検知部が検知する検知工程と、
前記第１の記憶部より、前記紙幣の金種を読み出す読出工程と、
前記読出工程において読み出した前記金種が、前記入出金装置が備えている第２の記憶部に前記紙幣収納部の装着が検知された前記装着部と関連付けて記憶されている紙幣の金種と適合するものであるか否かを判別する収納部判別工程と、
前記収納部判別工程において適合すると判別されると、前記紙幣の入金または出金の指示の受付を開始する指示受付工程と、
前記指示に基づき前記紙幣を搬送する搬送工程と、
を有することを特徴とする入出金装置の運用方法。
【発明の詳細な説明】
【技術分野】
【０００１】
本発明は、入出金装置、補充回収装置及び、入出金装置の運用方法、に関する。
【背景技術】
【０００２】
例えば、切符を発売する券売機等では、券を購入するための紙幣が入金されると、真贋、金種、破損の度合いなどを鑑別し、つり銭として出金可能である紙幣は金種別に格納される。これらの紙幣は、積み重ねて集積され格納される。（例えば、特許文献１参照）。【０００３】
また、金融機関の自動預け払い機等では、入金され、金種が判別された紙幣を順次収納し、取引が成立するまでいったん保留し、取引成立後順次放出する機能を有する一時保管庫を有しているものがある。この一時保管庫においては、テープとともに紙幣を巻き取る回転ドラムが配置されており、回転ドラムを一方向に回転させて紙幣を回転ドラムに巻き取って一時収納し、逆回転させることにより、巻き取った紙幣を排出するようにしている（例えば、特許文献２参照）。【０００４】
さらに、複数の金種の紙幣をそれぞれ収納する収納部に、２枚のテープの間に紙幣を挟んで巻き取る正逆回転可能なドラムを設けるようにした例も開示されている（例えば、特許文献３参照）。
【先行技術文献】
【特許文献】
【０００５】
【特許文献１】特開２００９−２０５２５２号公報
【特許文献２】特開２００９−４８６６４号公報
【特許文献３】特開２００６−２６００７８号公報
【発明の概要】
【発明が解決しようとする課題】
【０００６】
しかしながら、例えば特許文献１に記載のように、つり銭として利用する紙幣を積み重ねて集積した状態で収納すると、繰り出し時にダブルフィード等の搬送不良を起こすことがある。また、ダブルフィードによって、紙幣の枚数管理に誤差が生じる場合がある。よって、紙幣収納部の紙幣の繰出し部に、摩擦またはギャップを管理することによる繰出し機構を設けなければならない。このためには、それぞれの紙幣サイズに合わせて個々に調整された専用の収納部および繰出し部とする必要があり、取扱紙幣を変更する際には、機械的な調整が不可欠であるため、サイズの異なる紙幣には共用できないという使い勝手の悪さがある。【０００７】
一方、特許文献２、３に記載のように、テープとともに紙幣をドラムに巻きつけて収納する方式では、紙幣のサイズが異なる場合にも兼用することが可能である。しかし、ドラムに巻きつけて収納する方式では、収納部につり銭用の紙幣を補充したり、収納された紙幣を回収したりするためには、紙幣を順次収納または排出させなくてはならない。このため、業務開始前、及び終了後の作業に時間がかかるという問題がある。また、金融機関等で業務時間中に紙幣の補充または回収を行う必要が生じた場合等には、作業によるサービスの停止を短時間で済ませることができず、顧客に対するサービスの低下につながるという問題がある。【０００８】
そこで本発明は、紙幣のサイズにかかわらず同一の構成で、紙幣の補充または回収を効率よく行うことが可能な入出金装置、補充回収装置及び、入出金装置の運用方法を提供することを目的とする。
【課題を解決するための手段】
【０００９】
本発明の態様のひとつである入出金装置は、紙幣の入金および出金を行う入出金装置であって、一以上の金種の紙幣を収納可能で、収納している紙幣の金種を含む収納情報を有する第1の記憶部を有し、紙幣を収納及び排出する着脱可能な紙幣収納部と、前記紙幣収納部を装着する装着部と、前記装着部に前記紙幣収納部が装着されているか否かを検知する検知部と、前記検知部が前記紙幣収納部の装着を検出すると、前記第１の記憶部より、前記紙幣の金種を読み出す読出部と、前記装着部と、前記装着部に装着される前記紙幣収納部に収納させる前記紙幣の金種とを関連付けて記憶させておく第２の記憶部と、前記読出部が読み出した前記紙幣の金種が、前記第２の記憶部に前記紙幣収納部の装着が検知された前記装着部と関連付けて記憶されている金種と適合するものであるか否かを判別する収納部判別部と、前記収納判別部が適合すると判別すると、前記紙幣の入金または出金の指示の受付を開始する指示受付部と、前記指示に基づき前記紙幣を搬送する搬送部と、を有することを特徴としている。【００１０】
別の態様のひとつである入出金装置は、一以上の金種の紙幣を収納可能で、収納している紙幣の金種を含む収納情報を有する第1の記憶部を有し、紙幣を収納及び排出する着脱可能な紙幣収納部と、前記紙幣収納部を装着する装着部と、前記装着部に前記紙幣収納部が装着されているか否かを検知する検知部と、前記検知部が前記紙幣収納部の装着を検出すると、前記第１の記憶部より、前記金種を読み出す読出部と、前記読出部が読み出した前記金種を、前記装着部と関連付けて記憶させる第２の記憶部と、前記第２の記憶部に前記金種と前記装着部とが関連付けて記憶されると、前記紙幣の入金または出金の指示の受付を開始する指示受付部と、前記第２の記憶部の記憶内容と、前記指示に基づき前記紙幣の搬送を行う搬送部と、を有することを特徴としている。【００１１】
さらに別の態様のひとつである紙幣補充回収装置は、一以上の金種の紙幣を収納可能で、収納している紙幣の金種及び枚数を含む収納情報を有する第1の記憶部を有し、紙幣を収納及び排出する着脱可能な紙幣収納部と、前記紙幣収納部を装着する装着部と、前記装着部に前記紙幣収納部が装着されているか否かを検知する検知部と、前記検知部が前記紙幣収納部の装着を検出すると、前記紙幣収納部に補充する金種と枚数を含む補充指示を取得する補充指示取得部と、前記補充指示に基づき前記紙幣収納部に紙幣を補充する補充部と、前記補充指示に応じて補充された前記紙幣の金種及び枚数を判別する紙幣鑑別部と、前記紙幣鑑別部において判別された前記紙幣の金種及び枚数に基づき、前記第１の記憶部に前記収納情報を記録する記録部と、を有することを特徴としている。【００１２】
また、別の態様のひとつである入出金装置の運用方法は、紙幣の入金および出金を行う入出金装置の運用方法であって、一以上の金種の紙幣を収納可能で、収納している紙幣の金種を含む収納情報を有する第1の記憶部を有し、前記入出金装置が備えている装着部に着脱可能で紙幣を収納及び排出する紙幣収納部が、前記装着部に装着されているか否かを前記入出金装置が備えている検知部が検知する検知工程と、前記第１の記憶部より、前記紙幣の金種を読み出す読出工程と、前記読出工程において読み出した前記金種が、前記入出金装置が備えている第２の記憶部に前記紙幣収納部の装着が検知された前記装着部と関連付けて記憶されている紙幣の金種と適合するものであるか否かを判別する収納部判別工程と、前記収納部判別工程において適合すると判別されると、前記紙幣の入金または出金の指示の受付を開始する指示受付工程と、前記指示に基づき前記紙幣を搬送する搬送工程と、を有することを特徴としている。
【発明の効果】
【００１３】
本発明によれば、全金種で紙幣収納繰出部を共用できるとともに、入出金装置の紙幣の補充、回収を短時間で行える入出金装置運用方法、入出金装置及び補充回収装置を提供することができる。
【図面の簡単な説明】
【００１４】
【図１】第1の実施の形態による入出金装置の構成を示す図である。
【図２】第１の実施の形態による入出金装置の構成を示すブロック図を示す図である。
【図３】第１の実施の形態による入出金装置の制御部の機能を示す図である。
【図４】第１の実施の形態によるスタッカの内部構成を示す図である。
【図５】第１の実施の形態による補充回収装置の構成を示す図である。
【図６】第１の実施の形態による補充回収装置の構成を示すブロック図である。
【図７】第１の実施の形態による補充回収装置の制御部の機能を示すブロック図である。
【図８】第１の実施の形態による入出金装置の運用方法を示すフローチャートである。
【図９】第１の実施の形態による補充回収装置における紙幣補充処理を示すフローチャートである。
【図１０】第１の実施の形態による入出金装置における入出金処理を示すフローチャートである。
【図１１】第１の実施の形態による補充回収装置における紙幣回収処理を示すフローチャートである。
【図１２】第２の実施の形態による入出金装置における入出金処理を示すフローチャートである。
【発明を実施するための形態】
【００１５】
（第1の実施の形態）
以下、本発明の実施の形態を図面に基づいて説明する。まず、第１の実施の形態による入出金装置１の構成について、図１から図３を参照しながら説明する。図１は、第1の実施の形態による入出金装置1の構成を示す図、図２は、入出金装置１の構成を示すブロック図、図３は、入出金装置１の制御部の機能を示すブロック図である。
【００１６】
図１、図２に示すように、入出金装置１は、例えば金融機関の自動預け払い機や、交通機関の券売機等の入出金部に用いることのできる入出金装置である。入出金装置１は、操作部４、紙幣搬送部３１〜４９、紙幣鑑別部７、スタッカ９ａ〜９ｄ（まとめて、スタッカ９ともいう）、スタッカ装着部１３ａ〜１３ｄ（まとめて、装着部１３ともいう）、スタッカ検知部２９ａ〜２９ｄ（まとめて、スタッカ検知部２９ともいう）、回収庫２７、回収庫装着部５１、回収庫検知部２８、異常報知部５３、記憶部５５を有し、システムバス２を介して制御部５に接続されている。
【００１７】
操作部４は、例えば、入出金装置１の前面に設けられ、切符の購入や現金の預け払いなどのための指示を入力する不図示の入力画面や、紙幣を投入する入金部１５、つり銭や払い戻し等の紙幣を排出する出金部１７などを有している。なお、操作部４については、便宜上入出金装置１に直接設けられる形態について説明するが、自動預け払い機等の入出金部として利用される場合には、自動預け払い機等の本体部に設けられ、入出金装置１と電気的に接続されるような構成となることもある。
【００１８】
紙幣搬送部３１〜４９は、正逆回転可能な複数のローラ（図示せず）を配置された経路であり、紙幣を挟持して、または紙幣との間の摩擦力等により紙幣を所定方向に搬送する。紙幣搬送部３１〜４９にはさらに、それら複数のローラの少なくとも一部を駆動する不図示のモータを設け、紙幣を入金部１５、スタッカ９、回収庫２７および出金部１７の間を双方向に搬送できるように構成する。なお、紙幣搬送部４９の詳細については後述する。紙幣鑑別部７は、紙幣の金種、真贋等を判別する鑑別装置である。入金時も出金時も鑑別を行うが、例えば出金時には、紙幣の長さのみを判別するなど簡易の判別としてもよい。
【００１９】
スタッカ９ａ〜９ｄは、図１の矢印１０のようにスタッカ装着部１３ａ〜１３ｄにそれぞれ着脱可能に設けられ、内部に紙幣を収納し、または外部へ紙幣を繰り出し可能に構成される。スタッカ９は、いずれのスタッカ装着部１３にも装着可能であり、内部の構成は同一である。例えば、スタッカ９ａは、一万円紙幣、スタッカ９ｂは、五千円紙幣、スタッカ９ｃは、千円紙幣をそれぞれ収納することができるが、互いに同一の内部構成である。スタッカ９は、例えば、操作部４において操作が開始されてから、その操作により開始された処理が終了するまで、入金部１５から入金された紙幣を一時的に保管する一時保管庫として使用することもできる。スタッカ９ａ〜９ｄの構成の詳細は後述する。
【００２０】
スタッカ９は、メモリ１１を備えている。メモリ１１は、書き換え可能なメモリであり、収納情報として、スタッカ９の内部に収納されている紙幣の少なくとも金種と枚数とを関連付けて記憶している。また、収納情報として、紙幣のカテゴリ、収納した年月日、前回用いた入出金装置１の識別情報などを記憶するようにしてもよい。なお、紙幣のカテゴリとは、例えば、紙幣が正常券であるか、破損した損券であるか、真贋が疑わしい疑券であるか、偽造券であるか等である。また、例えば、入金された紙幣を一時的に保管する一時保管庫として利用する際には、その旨を示す情報を記憶するようにしてもよい。
【００２１】
スタッカ検知部２９は、例えば光学センサであり、スタッカ９ａ〜９ｄが装着されると受光部が遮蔽されるような構成とすることにより、スタッカ９ａ〜９ｄが入出金装置１に装着されたか否かに応じた信号を制御部５に出力する。
【００２２】
回収庫２７は、スタッカ９ａ〜９ｄの少なくともいずれか一つに収納されている紙幣の枚数が十分で、それ以上収納する必要がないと判断された紙幣、出金部１７で取り忘れられた紙幣、紙幣鑑別部７で出金紙幣には適さない（破れ、破損、汚れ等がある場合）と判別された紙幣、つり銭として利用しない紙幣（高額紙幣）等を収納する収納部であり、回収庫装着部５１に着脱可能に配置される。また、回収庫２７は、入出金装置１からスタッカ９ａ〜９ｄを取り外さずに紙幣を回収するときに、スタッカ９ａ〜９ｄから繰り出された紙幣を収納する。なお、スタッカ内部に収納の余裕があった場合であっても、操作部４からの指示によりスタッカ内部に収納されている紙幣を回収庫に収納させるようにしても良い。
【００２３】
回収庫２７は、メモリ２５を備えている。メモリ２５は、書き換え可能なメモリであり、収納情報として内部に収納されている紙幣の金種、枚数、カテゴリ等を、互いに関連付けて記憶している。メモリ２５は、紙幣を収納した年月日、前回用いた入出金装置１の識別情報などを記憶するようにしてもよい。回収庫検知部２８は、例えば光学センサであり、回収庫２７が回収庫装着部５１に装着されると受光部が遮蔽され、未装着時には光を受光するような構成とすることにより、回収庫２７が入出金装置１に装着されたか否かに応じた信号を制御部５に出力する。
【００２４】
異常報知部５３は、スタッカ装着部１３に、制御部５における設定と異なるスタッカ９が装着された場合等の異常が生じた際や、搬送異常が検知された場合などに、例えば光、音などにより異常を報知する。記憶部５５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリであり、入出金装置１の制御プログラムや、スタッカ９ａ〜９ｄに対応する金種の設定、紙幣の搬送に関するデータ、スタッカ９ａ〜９ｄに設けられたメモリ１１から読取ったデータ、鑑別結果等、制御部５の処理に伴って生成される情報を適宜記録する。以上のような構成により、第１の実施の形態による入出金装置１においては、多種の紙幣をリサイクルする。
【００２５】
図３を参照しながら、制御部５の機能について説明する。制御部５は、スタッカ装着判別部５７、回収庫装着判別部５９、メモリ入出力部６１、操作検出部６３、紙幣移動制御部６５、鑑別処理部６７、異常信号出力部６９の機能を有している。スタッカ装着判別部５７は、スタッカ検知部２９が出力する信号に基づき、スタッカ装着部１３ａ〜１３ｄにスタッカが装着されたか否かを判別する。回収庫装着判別部５９は、回収庫検知部２８が出力する信号に基づき、回収庫２７が回収庫装着部５１に装着されたか否かを判別する。
【００２６】
メモリ入出力部６１は、スタッカ９が有するメモリ１１、及び回収庫２７のメモリ２５の読み書きを行うとともに、読取ったデータを記憶部５５に格納する。操作検出部６３は、操作部４で行われた操作を検出する。紙幣移動制御部６５は、操作部４で行われた操作、メモリ１１から読み出したデータ、及び記憶部５５に記憶された制御プログラム等に応じて、紙幣搬送部及びスタッカ９ａ〜９ｄの紙幣の搬送を制御する。鑑別処理部６７は、紙幣鑑別部７が検出した紙幣に関する情報に基づき、紙幣の金種、真贋等を検知し、鑑別を行うとともに、鑑別結果を記憶部５５部に格納する。異常信号出力部６９は、入出金装置１の異常が検知されると、異常信号報知部５３に異常を報知させる信号を出力する。
【００２７】
ここで、図４を参照しながらスタッカ９の内部構成について説明する。図４は、スタッカの内部構成を示す図である。図４に示すように、スタッカ９は、筐体８０の内部に、手動用ノブ８７を備えた巻取軸８９を有するドラム８８を備えている。ドラム８８の巻取軸８９には、テープ９６、９８のそれぞれの一端がともに固定されている。テープ９６、９８は、いずれも帯状のフィルムである。テープ９６は、テンションローラ９１に掛け渡されて、他端を保持ローラ８３に保持されている。なお、保持ローラ８３は、トーションスプリング２１およびトルクリミッタ２２を備えている。テープ９６は、保持ローラ８３から繰り出され、または保持ローラ８３に繰り込まれる。同時に、テープ９６は、ドラム８８に巻き取られ、またはドラム８８から繰り出される。
【００２８】
テープ９８は、回転伝達ローラ９２及び案内ローラ９３に掛け渡されて、他端を保持ローラ８６に保持されている。なお、保持ローラ８６は、トーションスプリング８４およびトルクリミッタ８５を備えている。テープ９８は、保持ローラ８６から繰り出され、または保持ローラ８６に繰り込まれる。同時にテープ９８は、ドラム８８に巻き取られ、またはドラム８８から繰り出される。
【００２９】
テンションローラ９１近傍には、紙幣の通過を検知する紙幣検知センサ９７が配置されており、スタッカ９が入出金装置１に装着されている状態において、検知信号を制御部５に送出する。このとき、テープ９６を介して紙幣を検知することになるため、テープ９６は、透明または半透明などであることが好ましい。
【００３０】
回転検知板９５は、回転伝達ローラ９２の回転軸９４に固定され回転伝達ローラ９２と同期して回転可能に設けられている。回転検知板９５を挟むようにして、回転センサ９９が設けられ、スタッカ９が入出金装置１に装着されている状態において、回転伝達ローラ９２の回転速度に応じた信号を制御部５に送出する。
【００３１】
さらに、スタッカ９は、ステッピングモータ７９を有しており、スタッカ９が入出金装置１に装着されている状態において、不図示のギア等を介して保持ローラ８３、８６、回転伝達ローラ９２、ドラム８８を正逆両方向に回転させる。なお、ステッピングモータ７９は、紙幣検知センサ９７、回転センサ９９の信号に基づき制御部５に回転を制御される。
【００３２】
以上のように構成することにより、スタッカ９において、テンションローラ９１と回転伝達ローラ９２との間に搬送されてくる紙幣は、テープ９６、９８により挟持された状態でドラム８８の巻取軸８９に巻取られる。また、ドラム８８から繰り出された紙幣は、テープ９６、９８により挟持された状態でテンションローラ９１と回転伝達ローラ９２との間から外部に繰り出される。なお、以上説明したスタッカ９内部の紙幣搬送部については、図１においては簡略化して紙幣搬送部４９として示している。
【００３３】
次に、図５から図７を参照しながら、第１の実施の形態による補充回収装置１００の構成を説明する。図５は、補充回収装置１００の構成を示す図、図６は、補充回収装置１００の構成を示すブロック図、図７は、制御部１０５の機能を示すブロック図である。
【００３４】
図５、図６に示すように、補充回収装置１００は、スタッカ９に紙幣を補充する、またはスタッカ９から紙幣を回収するための装置である。補充回収装置１００において、入出金装置１と同様の構成の部分は同一の番号を付し、重複説明を省略する。補充回収装置１００は、操作部１０４、保管庫１０２、紙幣搬送部１０８〜１１６、紙幣鑑別部７、スタッカ９−１〜９−８（まとめて、スタッカ９ともいう）、スタッカ装着部１３−１〜１３−８（まとめて、スタッカ装着部１３ともいう）、スタッカ検知部２９−１〜２９−８（まとめて、スタッカ検知部２９ともいう）、回収庫１１７、回収庫装着部５１、回収庫検知部２８、異常報知部５３、記憶部１０１を有し、システムバス２を介して制御部１０５に接続されている。
【００３５】
操作部１０４は、例えば、補充回収装置１００の前面に設けられ、スタッカ９への紙幣の補充や、スタッカ９からの紙幣の回収のための指示を入力する不図示の入力画面等を有している。保管庫１０２は、スタッカ９に補充する紙幣を備蓄しておく収納部である。紙幣搬送部１０８〜１１６は、正逆回転可能な複数のローラ（図示せず）を配置された経路であり、紙幣を挟持して、または紙幣との間の摩擦力等により紙幣を所定方向に搬送する。紙幣搬送部１０８〜１１６にはさらに、それら複数のローラの少なくとも一部を駆動する不図示のモータを設け、紙幣を保管庫１０２、スタッカ９、回収庫１１７の間を搬送できるように構成する。
【００３６】
スタッカ９−１〜９−８は、図５の矢印１０のように、スタッカ装着部１３−１〜１３−８にそれぞれ着脱可能に設けられている。スタッカ９−１〜９−８は、いずれのスタッカ装着部にも装着可能であり、スタッカ９ａ〜９ｄと同一の構成である。また、スタッカ９−１〜９−８はそれぞれメモリ１１−１〜１１−８を備えている。回収庫１１７は、スタッカ９−１〜９−１３から回収した紙幣を収納する収納部であり、メモリ２５を備え、回収庫装着部５１に着脱可能に配置される。回収庫１１７の構成は、回収庫２７と同一のものであり、入出金装置１の回収庫２７として使用することもできる。
【００３７】
記憶部１０１は、ＲＯＭ、ＲＡＭ等のメモリであり、補充回収装置１００の制御プログラムや、スタッカ９−１〜９−８に対応する金種、紙幣の搬送に関するデータ、スタッカ９−１〜９−８に設けられたメモリ１１から読取ったデータ、鑑別結果等、制御部１０５の処理に伴って生成される情報を適宜記録する。
【００３８】
図７を参照しながら、制御部１０５の機能について説明する。入出金装置１と同様の機能を有するものには同一の番号を付し、詳細説明を省略する。制御部１０５は、スタッカ装着判別部５７、回収庫装着判別部５９、メモリ入出力部１２４、操作検出部１２６、紙幣移動制御部１２８、鑑別処理部６７、異常信号出力部６９、保管庫制御部１３４の機能を有している。
【００３９】
メモリ入出力部１２４は、記憶部１０１に格納されたデータを参照しながら、メモリ１１及びメモリ２５の読み書きを行うとともに、書き込んだデータを記憶部１０１に格納する。操作検出部１２６は、操作部１０４で行われた操作を検出する。紙幣移動制御部１２８は、操作部１０４で行われた操作、メモリ１１及びメモリ２５から読み出したデータ、及び記憶部１０１に記憶された制御プログラム等に応じて、紙幣搬送部１０８〜１１６及びスタッカ９の紙幣の移動を制御する。保管庫制御部１３４は、操作部１０４の指示に応じて、不図示の搬送機構を制御し、保管庫１０２から紙幣を繰り出す制御を行う。なお、保管庫１０２には、矢印１０３のように、外部から紙幣の補充を行うことができる。
【００４０】
続いて、以上のように構成された入出金装置１及び補充回収装置１００の動作を、図８〜図１１を主に参照しながら説明する。図８は、第１の実施の形態による入出金装置１の運用方法を説明するフローチャート、図９は、補充回収装置１００における紙幣補充処理を説明するフローチャート、図１０は、入出金装置１における入出金処理を説明するフローチャート、図１１は、補充回収装置１００における紙幣回収処理を説明するフローチャートである。
【００４１】
図８に示すように、入出金装置１及び補充回収装置１００の両方に着脱可能なスタッカ９は、まず、補充回収装置１００で紙幣を補充される（Ｓ１５１）。この処理は、通常、入出金装置１を使用して入出金処理を行う業務の開始前に、バックヤードで行われる。補充回収装置１００から取り外された後に、スタッカ９は入出金装置１に装着されて、入出金処理が行われる（Ｓ１５２）。入出金処理が終了し、スタッカ９が入出金装置１から取り外されると、再び補充回収装置１００に装着されて内部の紙幣を回収される（Ｓ１５３）。紙幣の回収は、通常入出金処理業務の終了後に、バックヤードで行われる。
【００４２】
次に、図９を参照しながら補充回収装置１００における紙幣の補充処理について説明する。図９に示すように、補充回収装置１００は、操作部１０４において補充指示が入力されるまで、検知を繰り返す（Ｓ１６１）。すなわち、制御部１０５の操作検知部１２６は、操作部１０４から、紙幣補充を行うための操作に基づく信号が入力されるか否かを監視する。このとき、操作部１０４においては、例えば補充対象のスタッカ９−１〜９−８のいずれか少なくとも一つを示す情報、及び補充する金種とその枚数を入力する。
【００４３】
続いて、操作部１０４から補充の入力が指示された補充対象のスタッカ９が装着されたか否かの検出を行う（Ｓ１６２）。すなわち、スタッカ装着判別部５７は、補充するスタッカ９に対応するスタッカ検知部２９から、スタッカ９が装着されたことを示す信号が検出されるまで監視する（Ｓ１６２：Ｎｏ）。なお、操作部１０４からの補充の入力が指示されたスタッカが装着されていない場合は、操作部にエラー表示や装着を促す表示をさせても良い。そして、補充するスタッカ９が装着されたことを検知すると（Ｓ１６２：Ｙｅｓ）、保管庫１０２から紙幣が繰出される。繰出された紙幣は紙幣鑑別部７により紙幣鑑別が行なわれる（Ｓ１６３）。すなわち、保管庫制御部１３４が、操作部１０４で入力された金種と枚数に応じて不図示の搬送機構に制御信号を送信して、紙幣搬送部１０８に紙幣を繰り出す。紙幣鑑別部７は、内部に設けられた例えば光学センサ等を有する不図示の鑑別機構により、紙幣の金種、真贋等に応じた信号を出力し、鑑別処理部６７が鑑別を行う（Ｓ１６３）。このとき、真贋が疑われるものや、使用に適さないもの（破れ、破損、汚れ等があるもの）は、例えば、紙幣搬送部１１６から紙幣鑑別部７へ向かう不図示の紙幣搬送部により回収庫１１７に搬送する。
【００４４】
鑑別により、使用に適すると鑑別された紙幣は、補充対象のスタッカ９に順次収納される（Ｓ１６４）。制御部１０５は、保管庫制御部１３４、紙幣搬送制御部１２８、鑑別処理部６７等により収納が終了するまで監視する（Ｓ１６５）。収納が終了したと検知されると、メモリ入出力部１２４は、紙幣を補充したスタッカ９のメモリ１１に、補充した紙幣の金種、枚数等を記憶させる（Ｓ１６６）。制御部１０５は、操作部１０４の図示せぬ表示部などに完了したことを表示するなどして完了を報知し（Ｓ１６７）、補充処理を終了する。なお、上記補充処理において、保管庫１０２には、複数種類の金種を収納しておくようにしてもよい。このとき、例えば予め記憶部１０１に、どのスタッカ９−１〜９−８にどの金種を収納させるかを示すデータを格納しておき、格納したデータと紙幣鑑別部７での鑑別結果に応じて紙幣搬送制御部１２８が紙幣の搬送先のスタッカ９を変更するように制御してもよい。
【００４５】
次に、図１０を参照しながら、入出金装置１による入出金処理について説明する。なお、スタッカ９は、補充回収装置１００で補充が終了すると、取り外され、入出金装置１に装着されることになる。図１０に示すように、入出金装置１は、スタッカ９が新たに装着されるまで、監視を行う（Ｓ１７１：Ｎｏ）。すなわち、制御部５のスタッカ装着判別部５７は、スタッカ検知部２９ａ〜２９ｄのいずれかから、スタッカ９が装着されたことを示す信号が送出されるまで監視する。
【００４６】
スタッカ９が装着されたと判別されると（Ｓ１７１：Ｙｅｓ）、装着されたスタッカ９のメモリ１１から、スタッカ９に収納されている紙幣の金種と枚数を含む収納情報を読取る（Ｓ１７２）。すなわち、メモリ入出力部６１は、メモリ１１にアクセスし、記憶されている紙幣の金種と枚数等の収納情報を読取り、記憶部５５に格納する。このとき、記憶部５５には、予め各スタッカ装着部１３にどの金種を収納したスタッカ９を装着するかを関連付けて記憶しておく。紙幣搬送制御部６５は、メモリ１１から取得した金種が、記憶部５５に予め格納されていた、設定された正しい金種であるか否かを判別し（Ｓ１７３）、異なっている場合には（Ｓ１７３：Ｎｏ）、異常信号出力部６９から異常信号を送信し、異常報知部５３において異常を報知する（Ｓ１８２）。正しい金種である場合には（Ｓ１７３：Ｙｅｓ）、全てのスタッカ装着部１３ａ〜１３ｄにスタッカ９ａ〜９ｄが装着されたか否かを判別する（Ｓ１７４）。装着されていないスタッカ装着部１３がある場合には、Ｓ１７１の処理に戻る。なお、装着を必要とするスタッカの情報を入力部４等を経由して記憶部５５に記憶させておくことにより、全てのスタッカが装着されていなくとも次の処理ステップ（Ｓ１７５）へ進むようにしても良い。
【００４７】
全てのスタッカ装着部１３にスタッカ９が装着されると（Ｓ１７４：Ｙｅｓ）、操作検出部６３は、操作部４からの操作の検知を開始し、操作があるまで監視を行う（Ｓ１７５：Ｎｏ）。操作検出部６３が、操作部４からの操作を検知すると（Ｓ１７５：Ｙｅｓ）、検知した操作に応じた情報を記憶部５５に格納する。紙幣搬送部３１〜４９は、操作部４からの操作に応じた搬送を行い、その過程において、鑑別処理部６７は、紙幣鑑別部７からの信号に基づき搬送された入金または出金のための紙幣の鑑別を行い（Ｓ１７６）、正常な紙幣か否か、すなわち、疑券や破れ、破損、汚れ等があるものなど出金用として適さない紙幣でないか否かを判別する（Ｓ１７７）。紙幣が正常でないと判別されると（Ｓ１７７：Ｎｏ）、入金部１５から入金された紙幣の場合は出金部１７から排出され、スタッカ９から繰出された紙幣の場合は回収庫２７へ収納される（Ｓ１８３）。紙幣が正常であると判別されると、紙幣の収納または出金を行う（Ｓ１７８）。このとき、鑑別処理部６７は、鑑別に関する情報を記憶部５５に格納する。なお、操作検出部６３が操作部４の操作を検知してから、紙幣の収納または出金が完了するまで（Ｓ１７５〜Ｓ１７８）の動作についての詳細は後述する。
【００４８】
メモリ入出力部６１は、記憶部５５に格納されたメモリ１１の内容と、例えば鑑別処理部６７が格納した情報とに基づき、各スタッカ９ａ〜９ｄ、及び回収庫２７に収納されている金種と枚数とを算出し、互いに関連付けて記憶部５５に格納する。ここで、スタッカ９ａ〜９ｄのいずれか、または回収庫２７の収納枚数に変化があった場合には、該当するメモリ１１またはメモリ２５の内容を書き換える（Ｓ１７９）。なお、メモリ入出力部６１は、メモリ１１、２５に、必要に応じて所定の情報を適宜書き込むようにしてもよい。入出金装置１の運用時間が終了するまで以上の動作を繰り返し（Ｓ１８０：Ｎｏ）、運用時間が終了した場合にはスタッカ９を取り外し（Ｓ１８１）、処理を終了する。
【００４９】
ここで、Ｓ１７５〜１７８の動作について、入出金処理の種類に応じて説明する。ここでは、スタッカ９ａ〜９ｃには、それぞれ一万円紙幣、５千円紙幣、千円紙幣が収納されているとする。スタッカ９ｄは、入出金装置１の業務開始時には、収納枚数に所定以上の収納可能である状態のものとし、一時保管庫として使用する場合について説明する。
【００５０】
第１の例として、入金部１５に入金する紙幣が挿入された場合について説明する。操作検出部６３が操作部４の入金部１５において紙幣の挿入を検知すると、入金部１５は、不図示の機構により紙幣を紙幣搬送部３１へ一枚ずつ繰り出す。紙幣は、紙幣搬送制御部６５の制御により紙幣搬送部３１、３２、３３を介して搬送され、紙幣鑑別部７を通過する。鑑別処理部６７により、搬送された紙幣が真券であり、例えば出金用として利用可能な千円紙幣であると判別されると、紙幣搬送部３５、３６、３８、４１により、スタッカ９ｃ内部に収納される。このとき、スタッカ９ｃでは、図４に示すように、テープ９６、９８に挟持された状態で紙幣がドラム８８に巻き取られる。
【００５１】
真贋が疑われる場合や、破れ、破損、汚れ等があるものなど出金に利用できないと判別された場合等には、紙幣は、紙幣搬送路３５、３６、３９を介して一時保管庫となっているスタッカ９ｄ内部に一時収納される。真贋が疑われる場合には、紙幣搬送制御部６５は、スタッカ９ｄから紙幣を再び繰り出させる。すなわち、スタッカ９ｄでは、図４に示すように、ステッピングモータ７９が紙幣搬送制御部６５により制御されることにより、テープ９６、９８に挟持された状態で紙幣がドラム８８に巻き取られて収納される。その後、再び巻き戻されて、テンションローラ９１と回転伝達ローラ９２との間から繰り出される。そして、紙幣は、紙幣搬送路３９、３６、３５、３３、４７を介して、出金部１７から排出される。再利用できない紙幣であると判別された場合や、スタッカ９ｃにさらに収納するスペースがない場合には、当該入金処理の完了後に、紙幣搬送部３９、３５、３７を介して回収庫２７に収納する。
【００５２】
また、入金の確定処理前（入金された紙幣が一時収納されている状態）に操作部４において取り消し操作があった場合には、紙幣搬送制御部６５は、収納したスタッカ９ｃまたはスタッカ９ｄから当該操作による入金分を繰り出させ、紙幣搬送路３８、３６、３５、３３、４７等を介して、出金部１７から排出させる。
【００５３】
第２の例として、出金部１７から紙幣をつり銭として出金する場合ついて説明する。上記入金処理の際等に、つり銭の出金がある場合において、紙幣搬送制御部６５から例えばスタッカ９ｂの紙幣搬送部４９へ出金指示が与えられたとする。スタッカ９ｂでは、紙幣搬送制御部６５の指示に基づき必要な枚数分をドラム８８から巻き戻して繰り出し、順次紙幣搬送部４３、４０、３８、３６、３５、３３、４７を介して出金部１７から排出する。このとき、紙幣鑑別部７では、長さ判別等の簡易な鑑別を行う。鑑別の結果、出金に適さないと判別された場合には、例えば紙幣搬送部３３と紙幣搬送部４２とを接続する図示しない紙幣搬送部及び紙幣搬送部４２、４０、３８、３６、３７を介して、回収庫２７に収納することが好ましい。
【００５４】
第３の例として、入出金装置１内で回収を行なう場合について説明する。操作部４からいずれかのスタッカ９からの紙幣回収の指示が入力されると、紙幣搬送制御部６５は、指示されたスタッカ９に、順次収納された紙幣を繰り出させ、紙幣搬送部３６〜４５を介して、回収庫２７に紙幣を搬送し収納させる。このとき、メモリ入出力部６１は、メモリ２５に、収納された紙幣の金種と枚数及びカテゴリを互いに関連付けて記憶させる。なお、メモリ入出力部６１は、必要に応じて所定の情報を適宜メモリ２５に書き込むようにしてもよい。なお、メモリ２５に記憶させる紙幣の情報は、スタッカ９のメモリ１１から取得するようにしても良い。
【００５５】
別の例として、例えば、図１における入出金装置１の図の左側外部に、補充専用のスタッカ９を例えば紙幣搬送部３３の紙幣鑑別部７の上部から紙幣を流入できるような位置に設け、紙幣搬送路３３、３５、３６、３９、４１、４３、４５等を介してスタッカ９ａ〜９ｄに紙幣を補充するようにしてもよい。
【００５６】
次に、図１１を参照しながら、補充回収装置１００による紙幣の回収処理について説明する。図１１は、補充回収装置１００による紙幣の回収処理を示すフローチャートである。補充回収装置１００で回収する際には、入出金装置１からスタッカ９ａ〜９ｄを取り外し、補充回収装置１００のスタッカ装着部１３−１〜１３−８のいずれかに装着する。図１１に示すように、操作検知部１２６は、操作部１０４において紙幣回収の指示があるまで監視を続ける（Ｓ１９１：Ｎｏ）。操作検知部１２６が回収の指示を検知すると、スタッカ装着判別部５７は、回収指示があった回収対象のスタッカ９が装着されるまで監視を続け、回収庫判別部５９は、回収庫１１７が装着されるまで監視を続ける（Ｓ１９２：Ｎｏ）。
【００５７】
スタッカ装着判別部５７が、回収対象のスタッカ９の装着を判別し、回収庫判別部５９が回収庫１１７の装着を判別すると（Ｓ１９２：Ｙｅｓ）、紙幣搬送制御部１２８は、回収対象のスタッカ９において、ドラム８８から紙幣を巻き戻し、紙幣を繰り出す。図５において、例えば、回収対象がスタッカ９−６である場合には、紙幣搬送部１１３、１１５を介して紙幣鑑別装置７に搬送し、紙幣鑑別部７から出力される、金種、真贋等に応じた信号に基づき、鑑別処理部６７が鑑別を行う（Ｓ１９３）。このとき、鑑別処理部６７は、紙幣の金種、枚数、真贋等の鑑別結果を記憶部１０１に記憶する。
【００５８】
制御部１０５は、紙幣搬送制御部１２８、鑑別処理部６７等により、回収が終了するまで監視する（Ｓ１９４：Ｎｏ）。回収が終了したと検知されると（Ｓ１９４：Ｙｅｓ）、メモリ入出力部１２４は、紙幣を回収したスタッカ９のメモリ１１をリセットする。また、メモリ入出力部１２４は、回収された紙幣の金種、枚数等を、記憶部１０１に記憶された鑑別結果を参照してメモリ２５に記憶させる（Ｓ１９５）。制御部１０５は、操作部１０４の図示せぬ表示部などに完了したことを表示するなどして完了を報知し（Ｓ１９６）、回収処理を終了する。
【００５９】
以上説明したように、第１の実施の形態による入出金装置１及び補充回収装置１００の両方に着脱可能なスタッカ９は、２枚のテープ９６、９８に紙幣を挟持した状態で、ドラム８８に巻き付けることにより紙幣を収納する。また、ドラム８８から紙幣を挟持したテープ９６、９８を巻き戻すことによって、スタッカ９外部に紙幣を繰り出すように構成されている。また、内部に収納している紙幣の金種、枚数等の収納情報がメモリ１１に記憶されている。スタッカ９は、まず、補充回収装置１００で紙幣を補充され、収納された紙幣の収納情報がメモリ１１に記憶される。補充回収装置１００から取り外された後に、スタッカ９は入出金装置１に装着されて、入出金処理が行われる。入出金処理が終了し、スタッカ９が入出金装置１から取り外されると、再び補充回収装置１００に装着されて内部の紙幣を回収される。このとき、メモリ１１はリセットされ初期状態とされる。
【００６０】
なお、上記入出金装置１において、メモリ１１は、本発明の第１の記憶部の一例であり、スタッカ９は、紙幣収納部の一例であり、スタッカ装着部１３は、装着部の一例であり、スタッカ検知部２９は検知部の一例であり、メモリ入出力部６１は読出部及び更新部の一例であり、記憶部５５は第２の記憶部の一例であり、紙幣搬送制御部６５は収納判別部の一例であり、操作部４は指示入力部の一例であり、紙幣搬送部３１〜４９は、搬送部の一例である。
【００６１】
また、上記補充回収装置１００において、操作検知部１２６は、本発明の補充指示取得部の一例であり、保管庫制御部１３４及び紙幣搬送制御部１２８は、補充部及び回収部の一例であり、メモリ入出力部１２４は、記録部の一例である。
【００６２】
以上のように、第１の実施の形態による入出金装置及び補充回収装置によれば、機械的な調整などを行うことなく、複数の金種の紙幣のスタッカとして兼用可能な着脱式のスタッカを設けることができる。すなわち、紙幣サイズの違い、紙幣間の摩擦力の影響にかかわらず紙幣の収納及び繰り出しができるスタッカとすることが可能である。このとき、収納された紙幣の金種、枚数を含む収納情報を格納するメモリ１１を設けることにより、入出金装置１への誤装着を検出することが可能である。また、入出金装置１、補充回収装置１００によりメモリ１１を読み出すことにより、内部に収納された紙幣の収納情報を読み出すことができるので、補充、回収のタイミングを正確に図ることができる。
【００６３】
また、スタッカ９によれば、紙幣を積み重ねて収納する場合と異なり、収納時の収納部の底面積は紙幣のサイズよりも縮小させることができ、入出金装置１、補充回収装置１００の小型化を実現することができる。また、繰出時においては、ダブルフィードを防止することができる着脱可能なスタッカとすることができる。
【００６４】
また、入出金装置１に着脱可能に設けられるので、あらかじめ補充回収装置１００で紙幣を補充したスタッカ９を装着するだけで紙幣の補充が可能になる。回収も、スタッカ９を取り外し、補充回収装置１００で回収を行うことができる。よって、スタッカ９により、紙幣は順次収納または繰り出しされるが、入出金装置１による業務開始前及び業務終了後の作業を短時間で行うことができる。さらに、業務時間中に紙幣の補充が必要になった場合にも、カセットの脱着だけでよいので、顧客へのサービス低下を防止することもできる。
【００６５】
補充回収装置１００においては、保管庫１０２にさまざまな金種を収納させた状態で、紙幣鑑別装置７による鑑別により、同時に複数のスタッカ９に紙幣を補充することができ、作業効率を向上させることが可能である。また、スタッカ９が複数の金種で兼用できることから、用意するスタッカ９の数が最小限でよく、コストダウンを図ることができる。さらに、回収庫１１７は、入出金装置１の回収庫２７と兼用できるため、さらにコストダウンを図ることが可能である。
【００６６】
（第２の実施の形態）
次に、図１２を参照しながら、第２の実施の形態による入出金装置による入出金処理について説明する。入出金装置の構成は、第１の実施の形態による入出金装置１と同様であるので、説明を省略する。また、図１２のＳ２０１〜２０２は、図８のＳ１７１〜１７２と同一であり、図１２のＳ２０４〜２１１、Ｓ２１３の処理については、図８のＳ１７４〜１８１、Ｓ１８３と同一であるので、詳細説明を省略する。
【００６７】
図１２は、第２の実施の形態による入出金装置の入出金処理を示すフローチャートである。第１の実施の形態による入出金装置１においては、予め各スタッカ装着部１３に装着するスタッカ９に収納する紙幣の金種が設定されていたが、第２の実施の形態においては、メモリ１１から読み込まれた金種に応じて紙幣の搬送を制御する。すなわち、図１２に示すように、Ｓ２０２でメモリ入出力部６１がメモリ１１の収納情報から金種を読み取ると、メモリ入出力部６１は、読取った金種とスタッカ収納部１３ａ〜１３ｄの識別情報とを関連付けて記憶部５５に記憶する。紙幣搬送制御部６５は記憶部５５に記憶された金種とスタッカ収納部１３ａ〜１３ｄとの情報に基づき搬送を設定する（Ｓ２０３）。全てのスタッカ装着部１３について金種が設定されると、Ｓ２０４に進む。なお、本実施の形態においては、異常報知部５３は、例えば、紙幣搬送部３１〜４９の異常などを報知するようにしてもよい。
【００６８】
以上のように、第２の実施の形態による入出金装置１によれば、スタッカ９を装着するスタッカ装着部１３の場所は、スタッカ９のメモリ１１に記録された金種を、スタッカ装着部１３に収納または繰り出させる金種として設定することができる。よって、スタッカ９を装着するスタッカ装着部１３が限定されないので、複数種類の通貨の紙幣の入出金機に利用できるなど、より使い勝手を向上させることができる。
【００６９】
なお、本発明は、以上に述べた実施の形態に限定されるものではなく、本発明の要旨を逸脱しない範囲内で種々の構成または実施形態を採ることができる。例えば、スタッカ９の構成は上記に限定されず、異なる大きさの紙幣を収納し、繰り出すことが可能なものであれば、本発明のスタッカとして利用可能である。メモリ１１、２５の内容は上記に限定されず、他の要素を含むこともできる。また、入出金装置１及び補充回収装置１００の構成は上記に限定されず、同様の作用効果を有するものであれば本発明の範囲である。
【符号の説明】
【００７０】
１      入出金装置
２      システムバス
４      操作部
５      制御部
７      紙幣鑑別部
９      スタッカ
１１、２５    メモリ
１３    スタッカ装着部
１５    入金部
１７    出金部
２７、１１７    回収庫
２８    回収庫検知部
２９    スタッカ検知部
３１〜４９  紙幣搬送部
５１    回収庫装着部
５３    異常報知部
５５、１０１    記憶部
１００  補充回収装置
１０２  保管庫
１０４  操作部
１０５  制御部
１０８〜１１６  紙幣搬送部
【図１】
2012090301.tif 000003
【図２】
2012090301.tif 000004
【図３】
2012090301.tif 000005
【図４】
2012090301.tif 000006
【図５】
2012090301.tif 000007
【図６】
2012090301.tif 000008
【図７】
2012090301.tif 000009
【図８】
2012090301.tif 000010
【図９】
2012090301.tif 000011
【図１０】
2012090301.tif 000012
【図１１】
2012090301.tif 000013
【図１２】
2012090301.tif 000014
【手続補正書】
【提出日】平成25年6月20日(2013.6.20)
【手続補正１】
【補正対象書類名】特許請求の範囲
【補正対象項目名】請求項１
【補正方法】変更
【補正の内容】
【請求項１】
紙幣の入金および出金を行う入出金装置であって、
一以上の金種の紙幣を収納可能で、収納している紙幣の金種を含む収納情報を有する第1の記憶部を有し、紙幣を収納及び排出する着脱可能な紙幣収納部と、
前記紙幣収納部を装着する装着部と、
前記装着部に前記紙幣収納部が装着されているか否かを検知する検知部と、
前記検知部が前記紙幣収納部の装着を検出すると、前記第１の記憶部より、前記紙幣の金種を読み出す読出部と、
前記装着部と、前記装着部に装着される前記紙幣収納部に収納させる前記紙幣の金種とを関連付けて記憶させておく第２の記憶部と、
前記読出部が読み出した前記紙幣の金種が、前記第２の記憶部に前記紙幣収納部の装着が検知された前記装着部と関連付けて記憶されている金種と適合するものであるか否かを判別する収納部判別部と、
前記収納部判別部が適合すると判別すると、前記紙幣の入金または出金の指示の受付を開始する指示受付部と、
前記指示に基づき前記紙幣を搬送する搬送部と、
を有することを特徴とする入出金装置。
【手続補正２】
【補正対象書類名】特許請求の範囲
【補正対象項目名】請求項５
【補正方法】変更
【補正の内容】
【請求項５】
前記収納情報は前記紙幣の枚数を含み、
前記入金または出金の指示に応じて入金または出金された前記紙幣の金種及び枚数を鑑別し、鑑別結果を前記第２の記憶部に記憶させる紙幣鑑別部と、
前記指示受付部が受付けた指示に応じた一回の前記入金または前記出金の動作完了毎に、前記鑑別結果に基づき、前記第１の記憶部が有している収納情報の前記枚数を示す情報を更新する更新部と、
をさらに有することを特徴とする請求項４に記載の入出金装置。
【手続補正３】
【補正対象書類名】特許請求の範囲
【補正対象項目名】請求項６
【補正方法】変更
【補正の内容】
【請求項６】
前記紙幣収納部は、２枚の帯状部材の間に紙幣を挟持して正逆回転可能な回転体に巻きつけることにより前記紙幣を収納及び排出可能に構成されることを特徴とする請求項４または請求項５に記載の入出金装置。
【手続補正４】
【補正対象書類名】図面
【補正対象項目名】図１１
【補正方法】変更
【補正の内容】
【図１１】
2012090301.tif 000015
【手続補正５】
【補正対象書類名】図面
【補正対象項目名】図１２
【補正方法】変更
【補正の内容】
【図１２】
2012090301.tif 000016
【国際調査報告】
2012090301.tif 000017
2012090301.tif 000018
2012090301.tif 000019